(57)【特許請求の範囲】
【請求項１】
錠前の状態を示す状態情報を取得する状態情報取得処理部と、
上記状態情報を通知する通知処理部とを備え、
上記通知処理部は、上記錠前を識別する錠前識別情報と該錠前を利用するグループを識別するグループ識別情報とが紐付けて記録されている記録媒体を参照し、上記錠前識別情報との紐付けがされているグループ識別情報によって識別されるグループのメンバの端末に上記状態情報を通知し、
上記通知処理部は、上記状態情報が示す状態に応じて上記状態情報の通知先となる端末を選択し、選択した端末に上記状態情報を通知する、ことを特徴とする情報通知装置。
【請求項２】
上記グループのメンバの端末から、上記錠前を制御するための制御コマンドを取得するコマンド取得処理部と、
上記端末から上記制御コマンドを取得した場合に上記制御コマンドに従って上記錠前を制御する錠前制御部と、を備えていることを特徴とする請求項１に記載の情報通知装置。
【請求項３】
上記情報通知装置は、上記グループ内でのコミュニケーションを可能にするソーシャルネットワークサービスを提供するサーバとして機能する装置であり、
上記通知処理部は、上記端末にインストールされている、上記ソーシャルネットワークサービスを上記メンバに利用させるためのアプリケーションに対して、上記状態情報を通知する、ことを特徴とする請求項１又は２に記載の情報通知装置。
【請求項４】
上記通知処理部は、上記状態の変化をトリガとして、変化後の上記状態を示す状態情報を上記端末にプッシュ通知する、ことを特徴とする請求項１から３のいずれか１項に記載の情報通知装置。
【請求項５】
上記通知処理部は、上記状態が開状態である場合には、上記状態情報として、上記状態が開状態になった事と上記錠前を誰が開けたかとを示す情報を通知する、ことを特徴とする請求項１から４のいずれか１項に記載の情報通知装置。
【請求項６】
上記錠前は、鍵との近距離通信が可能な電子錠であり、
上記鍵は、上記近距離通信により、上記電子錠を解錠させるための信号として上記鍵の固有情報を含む信号を上記電子錠に送信し、
上記通知処理部は、上記鍵の固有情報を含む信号を上記電子錠が受信した結果として上記状態が開状態になった場合には、上記状態情報を通知するために、該固有情報に紐付けられているメンバ情報を参照することによって上記電子錠を誰が開けたかを特定する、ことを特徴とする請求項５に記載の情報通知装置。
【請求項７】
上記通知処理部は、上記状態が開状態である場合には、上記状態情報として、上記状態が開状態になった事と上記錠前を誰が開けたかとを示す情報を通知し、
上記コマンド取得処理部は、上記錠前を制御するための制御コマンドとして、上記錠前を解錠させる解錠コマンドを上記端末から取得し、
上記解錠コマンドには、上記端末の利用者を識別するための識別情報が含まれており、
上記錠前制御部は、上記端末から上記解錠コマンドを取得した場合に、上記解錠コマンドに従って上記錠前を解錠し、
上記通知処理部は、上記錠前制御部による上記解錠コマンドに従った上記解錠の結果として上記状態が開状態になった場合には、上記状態情報を通知するために、該解錠コマンドに含まれている上記識別情報を参照することによって上記錠前を誰が開けたかを特定する、ことを特徴とする請求項２に記載の情報通知装置。
【請求項８】
上記通知処理部は、上記グループが利用する複数の錠前の各々について、該錠前の状態を示す状態情報を通知するようになっており、
上記通知処理部は、錠前の状態を示す状態情報として、該錠前の固有情報を含む情報であって該錠前の状態が開状態である事を示す情報を通知する、ことを特徴とする請求項１から７のいずれか１項に記載の情報通知装置。
【請求項９】
上記メンバによる上記紐付けを上記情報通知装置に実行させる操作をトリガとして、上記紐付けを実行する紐付け処理部を更に備えている、ことを特徴とする請求項１から８のいずれか１項に記載の情報通知装置。
【請求項１０】
請求項１から９のいずれか１項に記載の情報通知装置と上記端末とを含む錠前管理システム。
【請求項１１】
装置による錠前に関する情報の通知方法であって、
上記錠前の状態を示す状態情報を取得する状態情報取得ステップと、
上記状態情報を通知する通知ステップとを含み、
上記通知ステップにて、上記錠前を識別する錠前識別情報と該錠前を利用するグループを識別するグループ識別情報とが紐付けて記録されている記録媒体を参照し、上記錠前識別情報との紐付けがされているグループ識別情報によって識別されるグループのメンバの端末に上記状態情報を通知し、
上記通知ステップにて、上記状態情報が示す状態に応じて上記状態情報の通知先となる端末を選択し、選択した端末に上記状態情報を通知する、ことを特徴とする情報通知方法。
【請求項１２】
請求項１に記載の情報通知装置が備える上記通知処理部及び上記状態情報取得処理部としてコンピュータを機能させるためのプログラム。
【発明の詳細な説明】
【技術分野】
【０００１】
本発明は、主に、錠前に関する情報を通知する情報通知装置、情報通知方法、電子錠管理システム、及び、プログラムに関する。
【背景技術】
【０００２】
従来より、電子機器に関する様々な技術が提案されている。
【０００３】
例えば、特許文献１〜３には電子機器を遠隔制御する技術が開示されており、特許文献４には、あたかも家電製品が伝えたメッセージであるかのような印象を与えるメッセージをユーザの端末に送信するサーバの技術が開示されている。
【０００４】
また、錠前に関する情報をユーザのメールアドレス宛に送信するサービスも提案されている。
【先行技術文献】
【特許文献】
【０００５】
【特許文献１】特開２００３−３１６６６９号公報（２００３年１１月７日公開）
【特許文献２】特開２００５−２０４１８３号公報（２００５年７月２８日公開）
【特許文献３】特開２０１４−７８９４９号公報（２０１４年５月１日公開）
【特許文献４】特開２０１４−２１５９２３号公報（２０１４年１１月１７日公開）
【発明の概要】
【発明が解決しようとする課題】
【０００６】
自宅の錠前に関する情報を共有することを所望する家族が上記サービスを利用する場合、上記家族の各人は、自身のメールアドレスを登録しなければならない。
【０００７】
そして、上記家族のうちの一人でも誤ったメールアドレスを登録してしまった場合、上記家族の意図しない形で上記家族の自宅の錠前に関する情報が上記家族以外の者に伝わってしまい得る。
【０００８】
本発明は、上記のセキュリティ上の問題に鑑みて成されたものであり、その主な目的は、「錠前の状態を示す情報の通知により、その情報を共有すべきグループに属さない者にその情報が誤って伝わるリスク」が従来よりも少ない情報通知装置及び情報通知方法を実現することにある。
【課題を解決するための手段】
【０００９】
本発明の一態様に係る情報通知装置は、錠前の状態を示す状態情報を取得する状態情報取得処理部と、上記状態情報を通知する通知処理部とを備え、上記通知処理部は、上記錠前を識別する錠前識別情報と該錠前を利用するグループによって識別されるグループ識別情報とが紐付けて記録されている記録媒体を参照し、上記錠前識別情報との紐付けがされているグループ識別情報が識別するグループのメンバの端末に上記状態情報を通知する。
【００１０】
本発明の一態様に係る情報通知方法は、装置による錠前に関する情報の通知方法であって、上記錠前の状態を示す状態情報を取得する状態情報取得ステップと、上記状態情報を通知する通知ステップとを含み、上記通知ステップにて、上記錠前を識別する錠前識別情報と該錠前を利用するグループを識別するグループ識別情報とが紐付けて記録されている記録媒体を参照し、上記錠前識別情報との紐付けがされているグループ識別情報によって識別されるグループのメンバの端末に上記状態情報を通知する。
【発明の効果】
【００１１】
本発明の一態様に係る情報通知装置及び情報通知方法には、「錠前の状態を示す情報の通知により、その情報を共有すべきグループに属さない者にその情報が誤って伝わるリスク」が従来よりも少ない、という利点がある。
【図面の簡単な説明】
【００１２】
【図１】本発明の実施形態１に係る電子錠管理システムのシステム構成を、該電子錠管理システムの一動作の動作例と共に示した図である。
【図２】実施形態１において、佐藤家の各住人が所有する電子鍵の鍵ＩＤを示す図である。
【図３】実施形態１に係る電子錠管理システムに含まれる主要な機器のハードウェア構成を示すブロック図である。
【図４】実施形態１に係る主要な機器の主要な機能構成を示す機能ブロック図である。
【図５】実施形態１のＳＮＳサーバが保持するデータを模式的に例示した図である。
【図６】所定のＳＮＳアプリケーションが起動している実施形態１の端末に表示される画面群の一部を例示した図である。
【図７】所定のＳＮＳアプリケーションが起動している実施形態１の端末に表示される画面群の別の一部を例示した図である。
【図８】実施形態１に係る電子錠管理システムの主要な４つの動作のうちの３つの動作を示す３つのフローチャートから成る図である。
【図９】上記４つの動作の各々について、該動作の結果として実施形態１の端末に表示される内容を例示した図である。
【図１０】実施形態１に係る電子錠管理システムのシステム構成を、該電子錠管理システムの別の動作の動作例と共に示した図である。
【図１１】実施形態１に係る電子錠管理システムのシステム構成を、該電子錠管理システムの更に別の動作の動作例と共に示した図である。
【図１２】実施形態１に係る電子錠管理システムのシステム構成を、該電子錠管理システムの更に別の動作の動作例と共に示した図である。
【図１３】実施形態１に係る電子錠管理システムの主要な４つの動作のうちの残りの１つの動作を示すフローチャートである。
【発明を実施するための形態】
【００１３】
＜実施形態１＞
以下、図１〜図１３を参照して、本発明に係る錠前管理システムの一実施形態に係る電子錠管理システム（以下、「システム」と略称する）について説明する。
【００１４】
（システムの概要及び構成）
システムの概要及び構成について図１〜図３を参照しながら説明する。
【００１５】
図１は、システム構成をシステムの一動作の動作例と共に示した図である。図２は、システムを利用する家族（佐藤家）の各人が所有する電子鍵の鍵ＩＤを示す図である。図３は、システムに含まれる主要な装置のハードウェア構成を示すブロック図である。
【００１６】
図１、図３からわかるように、システムは、ＳＮＳサーバ１００、家族の各人の端末２００、アダプタ装置３００、施解錠操作機器３５０、電子錠４００、鍵５００（電子鍵）、及び、ルータ６００を含んでいる。
【００１７】
また、図１からわかるように、ＳＮＳサーバ１００はクラウド上に設置されており、アダプタ装置３００、施解錠操作機器３５０、電子錠４００、及び、ルータ６００は、佐藤家の自宅に設置されている。電子錠４００は、玄関のドアに取り付けられている。
【００１８】
図２からわかるように、本実施形態では、佐藤家（グループ）の各人は自身の専用の鍵５００を保持する。
【００１９】
次に、システムを構成する各機器の詳細について、更に図４を参照しながら説明する。図４は、システムに含まれる主要な機器の主要な機能構成を示す機能ブロック図である。
【００２０】
（ＳＮＳサーバ１００）
ＳＮＳサーバ１００（以下、「サーバ１００」）は、掲示板機能を備えたあるソーシャルネットワークサービス（以下、「ＳＮＳ」）を提供するためのサーバである。
【００２１】
ＳＮＳに登録した佐藤家の各人は、この掲示板（ココロボ〜ド）を通じて、佐藤家の他の人とコミュニケーションをとることができるようになっている。
【００２２】
また、このＳＮＳには、佐藤家で使用されている対応機器（ともだち家電）を登録できるようになっている。ＳＮＳに登録されたともだち家電（例えば、佐藤家のロボット掃除機）は、掲示板投稿機能を有効にする設定操作が行われた場合、掲示板（例えば、佐藤家の掲示板）に対して様々な書き込みを行うようになっている。
【００２３】
本実施形態において特筆すべきは、佐藤家の人が佐藤家に設置されている電子錠４００をＳＮＳに登録するための登録操作と上記設定操作とを行った場合、以下の機能が有効になる点にある。
【００２４】
即ち、上記登録操作と上記設定操作とが完了すると、上記ＳＮＳにおける、佐藤家（グループ）の各人（メンバ）の端末２００に電子錠４００の状態を示す情報を通知する機能（電子錠４００の状態を示す情報を佐藤家で共有するための機能）が有効になる。
【００２５】
以下、サーバ１００の構成について説明する。
【００２６】
図３の（ａ）に示すように、サーバ１００（情報通知装置）は、通信Ｉ／Ｆ部１１０、制御部１２０、及び、記憶部１３０を備えている。
【００２７】
通信Ｉ／Ｆ部１１０は、他の装置とのＩＰ通信を可能にするために設けられたイーサネット（登録商標）インタフェースである。
【００２８】
制御部１２０は、サーバ１００全体を統括的に制御するＣＰＵである。
【００２９】
記憶部１３０は、様々なデータ（ＳＮＳを提供するためのプログラムのデータや、ＳＮＳに関する設定データ（図５のデータ等））が記録される記録媒体である。
【００３０】
制御部１２０は、上記プログラムを実行することによって、図４の（ａ）に示すように、取得処理部１２１、通知処理部１２２、電子錠制御部１２３、及び、登録処理部１２４として機能する。
【００３１】
取得処理部１２１は、各種指示（電子錠４００の状態情報を取得する指示等）を端末２００から取得する。取得処理部１２１（状態情報取得処理部）は、端末２００から取得した該指示に基づき、電子錠４００の状態情報を取得する。
【００３２】
通知処理部１２２は、取得処理部１２１が取得した電子錠４００の状態情報に基づいて、電子錠４００の状態を示すメッセージを生成し、生成したメッセージを端末２００に通知する。なお、本実施形態で通知処理部１２２が生成するメッセージは、電子錠４００を擬人化したキャラクタの画像と、あたかも電子錠４００が佐藤家の一員として語りかけたかのような印象を与えるメッセージとを含む画像付きメッセージである。
【００３３】
電子錠制御部１２３は、取得処理部１２１が端末２００から取得した指示に基づき、電子錠４００の状態情報を取得する指示をアダプタ装置３００に送信する。
【００３４】
登録処理部１２４は、ともだち家電をＳＮＳに登録する処理を行う。
【００３５】
（端末２００）
図３の（ｂ）に示すように、端末２００は、通信Ｉ／Ｆ部２１０、制御部２２０、記憶部２３０、及び、表示部２４０を備えている。
【００３６】
通信Ｉ／Ｆ部２１０は、キャリアの通信網に接続するための通信モジュール及び無線ＬＡＮモジュールが内蔵された通信インタフェースである。
【００３７】
制御部２２０は、端末２００全体を統括的に制御するＣＰＵである。
【００３８】
記憶部２３０は、ＳＮＳアプリケーション（ココロボ〜ドアプリ）がインストールされている記録媒体である。
【００３９】
表示部２４０は、該ＳＮＳアプリケーションの画面が表示されるディスプレイである。
【００４０】
制御部２２０は、該ＳＮＳアプリケーションを実行することによって、図４の（ｂ）に示すように、電子錠制御部２２１、取得処理部２２２、表示処理部２２３、及び、登録処理部２２４として機能する。
【００４１】
電子錠制御部２２１は、サーバ１００に対する各種指示（サーバ１００に電子錠４００を制御させるための制御コマンド等）をサーバ１００に送信する。
【００４２】
取得処理部２２２は、サーバ１００からデータ（電子錠４００の状態を示すメッセージ等）を取得する。
【００４３】
表示処理部２２３（実行処理部）は、取得処理部２２２が取得したデータに応じた内容を表示部２４０に表示する。
【００４４】
登録処理部２２４は、ともだち家電をＳＮＳに登録するための登録画面を表示する。
【００４５】
（アダプタ装置３００）
アダプタ装置３００は、自装置に接続されている対応機器（電子錠４００等）の状態をユーザが端末２００を用いて確認したり、ユーザが端末２００を用いて対応機器を遠隔制御したりすることを可能にする装置である。
【００４６】
アダプタ装置３００は、サーバ１００から新規コマンド（新たにサーバ１００が作成したコマンド、又は、新たに端末２００から受信したコマンド）が存在する旨を示す通知を受け取ると、サーバ１００から新規コマンドを取得し、その内容を施解錠操作機器３５０に転送する。また、アダプタ装置３００は、施解錠操作機器３５０より、状態情報や鍵ＩＤ情報、エラー情報等を受け取り、それらをサーバ１００に転送する。
【００４７】
（施解錠操作機器３５０）
施解錠操作機器３５０（以下、「機器３５０」）は、自宅に居る住人が電子錠４００を開けたり閉めたりするために用いる機器である。機器３５０は、電子錠４００を開ける操作又は電子錠４００を閉める操作を受け付けると、操作の内容に応じた信号（電子錠４００に施錠を指令するための施錠信号、又は、電子錠４００に解錠を指令するための解錠信号）を電子錠４００に送信する。
【００４８】
また、機器３５０は、電子錠４００から鍵ＩＤを受信した場合には、受信した鍵ＩＤが機器３５０に登録されているか否かを確認する。機器３５０は、受信した鍵ＩＤが機器３５０に登録されている場合には、電子錠４００に解錠信号を送信する。
【００４９】
（電子錠４００）
電子錠４００は、鍵５００との近距離通信が可能な錠前である。また、電子錠４００は、ＳＮＳに対応した機器（ともだち家電）である。
【００５０】
図３の（ｃ）に示すように、電子錠４００は、鍵ID読み取り部４１０及びシリンダ４２０を備えている。
【００５１】
鍵ID読み取り部４１０は、鍵５００が発信する信号を受信可能な近距離通信モジュールである。
【００５２】
シリンダ４２０は、施解錠される錠前の実体である。シリンダ４２０は、鍵５００に対応する形状の鍵穴を有していても良いし、鍵穴を有していなくても良い。
【００５３】
（鍵５００）
鍵５００は、電子錠４００との近距離通信が可能な電子鍵である。鍵５００は、該鍵５００に固有の鍵ID情報を含む信号を、間欠的に、又は、鍵ID読み取り受信部４１０からの要求信号を受けて発信するようになっている。
【００５４】
（ルータ６００）
ルータ６００は、家の中のネットワークをクラウドにＩＰ接続するための装置である。
【００５５】
（電子錠４００のＳＮＳへの登録について）
次に、電子錠４００のＳＮＳへの登録について、図５及び図６を参照しつつ説明する。
【００５６】
図５の（ａ）及び（ｄ）は、サーバ１００に記録されている佐藤家に関するデータ（具体的には、上記登録が行われる前におけるデータ）を模式的に例示している。
【００５７】
図６は、特定の状態（前述のＳＮＳアプリケーションが起動しており、家庭内ＬＡＮに接続され、アダプタ装置３００を検出している状態）の端末２００に表示される登録画面群を例示した図である。
【００５８】
ユーザ（佐藤家の代表者）が端末２００に表示されている図６の（ａ）の画面内の所定のボタンをタップすると、端末２００には、図６の（ｂ）の画面が表示される。この画面には、アダプタ装置３００が検出しているともだち家電の一覧が表示される。ユーザがＳＮＳに登録するともだち家電として電子錠４００を選択すると、端末２００には、図６の（ｃ）の画面が表示される。
【００５９】
ユーザが、図６の（ｃ）の画面において、電子錠４００のニックネーム及び自宅の郵便番号をテキストフィールドに入力し、ドロップボックスから電子錠４００の設置場所を選択すると、端末２００には、図６の（ｄ）の画面が表示される。
【００６０】
ユーザが、アダプタ装置３００又は機器３５０の「リンク」ボタンを押した上で図６の（ｄ）の画面の「リンク」ボタンをタップすると、端末２００は、アダプタ装置３００に機器３５０との間のペアリング処理を実行させるとともに、以下の処理を行う。
【００６１】
即ち、端末２００は、アダプタ装置３００から「機器３５０が保持している電子錠４００に関する各種データ（電子錠４００を識別する家電ＩＤや、電子錠４００を開閉可能な鍵５００の鍵ＩＤ等）」を取得し、取得した各種データと図６の（ｃ）の登録画面のフォームのデータと端末２００の端末ＩＤとをサーバ１００にアップロードする。
【００６２】
その後、登録処理部１２４は、端末２００から取得した端末ＩＤと図５の（ｄ）のデータとを参照して、端末ＩＤに紐付いている家族ＩＤを特定する。そして、登録処理部１２４は、端末２００から取得した各種データを参照して、例えば、図５の（ａ）のデータを図５の（ｂ）のデータに更新し、図５の（ｃ）に示されている、電子錠４００に関する新規レコードを登録する。
【００６３】
登録処理部１２４の以上の処理によって、電子錠４００のＳＮＳへの登録が完了する。
【００６４】
以上の説明及び図５の（ｂ）からわかるように、図６の登録画面に対する佐藤家の代表者による操作（電子錠４００をＳＮＳへ登録する操作）をトリガとして、登録処理部１２４（紐付け処理部）は、佐藤家の電子錠４００を識別する家電ＩＤ（錠前識別情報、"01002"）と佐藤家というグループを識別する家族ＩＤ（グループ識別情報、"01"）とを紐付ける。即ち、電子錠４００をＳＮＳへ登録する操作は、電子錠４００を識別する家電ＩＤと佐藤家というグループを識別する家族ＩＤとの紐付けをサーバ１００に実行させる操作であると言える。
【００６５】
（電子錠４００及び鍵５００に関する設定について）
次に、電子錠４００及び鍵５００に関する設定（電子錠４００の掲示板投稿機能を有効にする設定、及び、各鍵５００の所有者の設定）について、図５及び図７を参照しつつ説明する。
【００６６】
図７は、前述の状態の端末２００に表示される設定画面群の一部を例示した図である。
【００６７】
ユーザ（佐藤家の代表者）が端末２００に表示されている図７の（ａ）の画面内の「ともだち家電招待」の項目を選択すると、端末２００には、ＳＮＳに登録されている佐藤家のともだち家電の一覧を示す図７の（ｂ）の画面が表示される。ユーザが佐藤家のともだち家電の一覧の中から電子錠４００を選択すると、端末２００には、図７の（ｃ）の画面が表示される。
【００６８】
ユーザが図７の（ｃ）の画面を通じて「つぶやきオプション」の設定（選択したともだち家電が掲示板に書き込みをする頻度の設定）を行うと、端末２００には、図７の（ｄ）の画面が表示される。
【００６９】
ユーザは、鍵ＩＤ"10003"を発信する鍵５００を太郎くんに使わせたい場合には、以下の操作を行う。即ち、ユーザは、図７の右下の画面内の鍵ＩＤ"10003"の傍のボックスをタップし、該ボックスをタップすることで表示される佐藤家の各人のアバタ画像の中から太郎くんのアバタ画像を選択する。
【００７０】
その後、ユーザは、図示していない設定画面を通じて、太郎くんの電子錠４００に関する権限（電子錠４００を遠隔制御する権限、及び、電子錠４００の状態を確認する権限）の設定を行う。
【００７１】
ユーザが佐藤家の各人について以上の操作を行うと、電子錠４００の掲示板投稿機能は有効になり、図５の（ｄ）のデータは、例えば、図５の（ｅ）のデータに更新される。即ち、各鍵５００の所有者の設定が完了し、電子錠４００の状態を示す情報を佐藤家で共有するための機能が有効になる。
【００７２】
なお、図６の登録画面及び図７の設定画面には、佐藤家の電子錠４００の状態を示すメッセージの通知先を示す情報を入力する欄はないので、佐藤家の代表者が、そのような情報を入力しようとして誤った情報を入力してしまうこともない。従って、上記登録操作及び上記設定操作（錠前の状態を示す状態情報をグループで共有するための操作）の誤りに起因して、そのグループ（佐藤家）に属さない者にその状態情報が伝わるリスクは少ないと言える。
【００７３】
（システムの動作１）
次に、上記動作１（鍵５００から鍵ＩＤ情報を電子錠４００が受信した結果として電子錠４００が開状態になった場合のシステムの動作）について更に図８及び図９を参照しつつ説明する。図８の（ａ）は該動作を示すフローチャートを示しており、図９の（ａ）は、該動作の結果として佐藤家の人の端末２００に表示される内容を例示している。
【００７４】
機器３５０は、電子錠４００から鍵ＩＤ情報を受信すると、解錠処理を行う（ステップＳ１）。即ち、受信した鍵ＩＤが自機に登録されているかを判定し、登録されていると判定した場合に解錠信号を電子錠４００に送信する。
【００７５】
ステップＳ１の後、機器３５０は、解錠処理の結果を示す状態情報を生成する（ステップＳ２）。例えば、解錠信号を電子錠４００に送信した場合には、電子錠４００からの状態通知信号（電子錠４００の状態を通知するための信号、例えば、電子錠４００が開状態になった旨を示す信号）に基づき、上記状態情報を生成する。
【００７６】
ステップＳ２の後、機器３５０は、鍵ＩＤと状態情報とをアダプタ装置３００及びルータ６００を介してサーバ１００に送信する（ステップＳ３）。
【００７７】
ステップＳ３の後、通知処理部１２２は、鍵ＩＤと状態情報が示す状態とに応じたメッセージを生成する（ステップＳ４）。即ち、通知処理部１２２は、状態情報が「電子錠４００が開状態であること」を示す場合には、図５の（ｅ）のデータを参照して鍵ＩＤに紐付いた「該鍵ＩＤを発信する鍵を所有する人」を特定し、その人が帰宅した旨及び帰宅時刻を示すメッセージを生成する。
【００７８】
ステップＳ４の後、通知処理部１２２は、状態情報が示す状態を確認する権限を有する各人の端末２００にステップＳ４で生成したメッセージを通知する（ステップＳ５）。
【００７９】
具体的には、通知処理部１２２は、「接続先情報」フィールドの値がルータ６００（状態情報を受信するために確立したコネクションにおける接続先の機器）のＷＡＮ側アドレスの値と同じ値であるようなレコードを図５の（ｃ）のテーブルの中から特定する。
【００８０】
そして、通知処理部１２２は、該レコードの「家電ＩＤ」フィールドの値と同じ値を含むレコード（佐藤家に関するレコード）を図５の（ｂ）のテーブルの中から特定し、図５の（ｅ）のデータを参照して状態情報が示す状態を確認する権限を有する佐藤家の各人を特定する。
【００８１】
ステップＳ５の後、表示処理部２２３は、メッセージを表示部２４０に表示する。その結果、表示部２４０の表示内容は、図９の（ａ）に示されているような内容となる。
【００８２】
（システムの動作２）
次に、上記動作２（電子錠４００にエラーが発生した場合のシステムの動作）について図８〜図１０を参照しつつ説明する。図８の（ｂ）は該動作を示すフローチャートを示しており、図９の（ｂ）は、該動作の結果として佐藤家の人の端末２００に表示される内容を例示している。図１０は、システム構成を動作２の動作例と共に示した図である。
【００８３】
機器３５０は、電子錠４００からエラー信号を受信すると、エラー信号に応じたエラー情報（電子錠４００がエラー状態（異常状態）にあることを示す状態情報）を生成する（ステップＳ１１）。
【００８４】
ステップＳ１１の後、機器３５０は、エラー情報をアダプタ装置３００及びルータ６００を介してサーバ１００に送信する（ステップＳ１２）。
【００８５】
ステップＳ１２の後、通知処理部１２２は、エラー情報が示すエラーの種類（例えば、電子錠４００の故障）に応じたメッセージを生成する（ステップＳ１３）。
【００８６】
ステップＳ１３の後、生成したメッセージをステップＳ５と同様の方法によって通知する（ステップＳ１４）。なお、サーバ１００が特定の種類のエラーを示すエラー情報を取得した場合、通知処理部１２２は、図１０に示すように、ステップＳ１４の処理を行うと同時に、所定の会社（電子錠４００のアフターサービスを提供する会社及び／又はセキュリティ会社）の端末に、エラーの内容を示すメッセージを送信してもよい。
【００８７】
例えば、通知処理部１２２は、電子錠４００の故障を示すエラー情報を電子錠４００のアフターサービスを提供する会社の端末に送信してもよい。また、例えば、通知処理部１２２は、電子錠４００に対する不正操作（こじ開け等）を検知した旨を示すエラー情報をセキュリティ会社の端末に送信してもよい。
【００８８】
ステップＳ１４の後、表示処理部２２３は、メッセージを表示部２４０に表示する。その結果、表示部２４０の表示内容は、図９の（ｂ）に示されているような内容となる。
【００８９】
（システムの動作３）
次に、上記動作３（端末２００のユーザからの要求に従って電子錠４００の状態情報を端末２００に通知する動作）について図８、図９及び図１１を参照しつつ説明する。図８の（ｃ）は該動作を示すフローチャートを示しており、図９の（ｃ）は、該動作の結果として佐藤家の人の端末２００に表示される内容を例示している。図１１は、システム構成を動作３の動作例と共に示した図である。
【００９０】
取得処理部１２１が佐藤家の人の端末２００から状態情報の送信指示を受信すると、サーバ１００は、以下の処理を行った上で、図８の（ｃ）のフローチャートの動作を開始する。
【００９１】
即ち、電子錠制御部１２３は、受信した送信指示に含まれている該端末２００の端末ＩＤが、どの家族に属する人の端末の端末ＩＤであるかを、図５の（ｄ）のデータを参照して確認した上で、図８の（ｃ）のフローチャートの動作を開始する。なお、サーバ１００は、該端末２００の端末ＩＤが、どの家族に属する人の端末の端末ＩＤであるかを確認できなかった場合、図８の（ｃ）のフローチャートの動作を行わない。
【００９２】
電子錠制御部１２３は、該端末２００の端末ＩＤが佐藤家の人の端末の端末ＩＤであることが確認すると、"状態情報の送信指示"のコマンド（新規コマンド）を作成する。電子錠制御部１２３は、新規コマンドの作成後、佐藤家のアダプタ装置３００に対して新規コマンドが存在する旨を通知することにより、該アダプタ装置３００に対してサーバ１００から新規コマンドを取得するように指示する。（ステップＳ２１）。電子錠制御部１２３は、指示に対する応答があった場合にはステップＳ２２に進み、応答がなかった場合にはステップＳ２３に進む。
【００９３】
ステップＳ２２にて、電子錠制御部１２３は、アダプタ装置３００からの制御コマンドの要求を待ち受ける。電子錠制御部１２３は、タイムアウトが発生する前に該要求を受け取った場合、要求された制御コマンドをアダプタ装置３００に送信した上でステップＳ２４に進む。アダプタ装置３００は、コマンドを取得すると、取得した制御コマンドを機器３５０に転送する。
【００９４】
サーバ１００は、ステップＳ２２にてタイムアウトが発生した場合、ステップＳ２３に進む。
【００９５】
ステップＳ２３にて、通知処理部１２２は、状態情報の送信指示をサーバ１００に送信した端末２００に対し、電子錠４００の状態確認に失敗した旨のメッセージを通知する（端末２００は、通知されたメッセージを表示する）。なお、ステップＳ２３の後、サーバ１００は、図８の（ｃ）のフローチャートの動作を終了する。
【００９６】
ステップＳ２４（状態情報取得ステップ）にて、電子錠制御部１２３（状態情報取得処理部）は、電子錠４００の状態を示す状態情報を機器３５０から取得する。
【００９７】
即ち、機器３５０は、送信指示を受信した時点の電子錠４００の状態を確認する。機器３５０は、確認した状態を示す状態情報をアダプタ装置３００に送信し、アダプタ装置３００は、受信した状態情報をサーバ１００に転送する。
【００９８】
ステップＳ２４の後、通知処理部１２２は、ステップＳ２５にて状態情報が示す状態に応じたメッセージを生成し、ステップ２６（通知ステップ）にて、生成したメッセージをステップＳ５と同様の方法によって通知する（端末２００は、通知されたメッセージを表示する）。その結果、表示部２４０の表示内容は、図９の（ｃ）に示されているような内容となる。ステップＳ２６の後、サーバ１００は、図８の（ｃ）のフローチャートの動作を終了する。
【００９９】
（システムの動作４）
次に、上記動作４（端末２００のユーザからの要求に従って電子錠４００を遠隔制御する動作）について図９、図１２及び図１３を参照しつつ説明する。図１３は該動作を示すフローチャートを示しており、図９の（ｄ）は、該動作の結果として佐藤家の人の端末２００に表示される内容を例示している。図１２は、システム構成を動作４の動作例と共に示した図である。
【０１００】
取得処理部１２１が電子錠４００を遠隔制御するための制御コマンド（例えば、電子錠４００を解錠させる解錠コマンド）を佐藤家の人（遠隔操作者）の端末２００から受信すると、サーバ１００は、以下の処理を行った上で、図１３のフローチャートの動作を開始する。
【０１０１】
即ち、電子錠制御部１２３は、図５の（ｅ）のデータを参照し、受信した制御コマンドに含まれている該端末２００の端末ＩＤが、どの家族に属する人の端末の端末ＩＤであるか、及び、該端末ＩＤが示す端末のユーザに該制御コマンドに対応する遠隔制御を行う権限があることを確認した上で、図１３のフローチャートの動作を開始する。サーバ１００は、該端末２００の端末ＩＤが、どの家族に属する人の端末の端末ＩＤであるかを確認できなかった場合や、該端末ＩＤが示す端末のユーザに該制御コマンドに対応する遠隔制御を行う権限がない場合には、図１３のフローチャートの動作を行わない。
【０１０２】
電子錠制御部１２３は、該端末２００の端末ＩＤが佐藤家の人の端末の端末ＩＤであることが確認すると、佐藤家のアダプタ装置３００に対して新規コマンド（端末２００から新たに受信した制御コマンド）が存在する旨を通知することにより、該アダプタ装置３００に対し、新規コマンドをサーバ１００から取得するように指示する（ステップＳ３１）。電子錠制御部１２３は、指示に対する応答があった場合にはステップＳ３２に進み、応答がなかった場合にはステップＳ３３に進む。
【０１０３】
電子錠制御部１２３は、ステップＳ３２（ステップＳ２２と同じ工程）にてアダプタ装置３００からの制御コマンドの要求をタイムアウトが発生する前に受け取ると、要求された制御コマンドをアダプタ装置３００に送信した上でステップＳ３４に進む。
【０１０４】
一方、ステップＳ３１にて応答がなかった場合、又は、ステップＳ３２にてタイムアウトが発生した場合、サーバ１００は、ステップＳ３３に進む。
【０１０５】
ステップＳ３３にて、通知処理部１２２は、制御コマンドをサーバ１００に送信した端末２００に対し、電子錠４００の遠隔制御に失敗した旨のメッセージを通知する（端末２００は、通知されたメッセージを表示する）。なお、ステップＳ３３の後、サーバ１００は、図１３のフローチャートの動作を終了する。
【０１０６】
ステップＳ３４にて、電子錠制御部１２３は、制御コマンドの実行結果を示す情報を機器３５０から取得する。
【０１０７】
即ち、機器３５０は、アダプタ装置３００から転送された制御コマンドに応じた制御信号を電子錠４００に送信し、制御信号を受信した電子錠４００からの状態通知信号に基づいて制御コマンドの実行結果を示す情報を生成する。機器３５０は、制御コマンドの実行結果を示す情報をアダプタ装置３００に送信し、アダプタ装置３００は、受信した制御コマンドの実行結果を示す情報をサーバ１００に転送する。
【０１０８】
ステップＳ３４の後、通知処理部１２２は、ステップＳ３５にて、機器３５０による制御コマンドの実行結果を示すメッセージを生成する。具体的には、通知処理部１２２は、遠隔操作者向けのメッセージ、及び、遠隔操作者ではない人向けのメッセージ（「電子錠４００の遠隔操作が成功したか失敗したか」及び「誰が遠隔操作者か」を示すメッセージ）を生成する。
【０１０９】
例えば、サーバ１００が、制御コマンドとして解錠コマンドを端末２００から受信し、解錠コマンドが成功した事を示す実行結果を機器３５０から取得した場合、通知処理部１２２は、遠隔操作者ではない人向けのメッセージとして、「遠隔操作により電子錠４００の解錠コマンドが成功した旨」及び「誰が遠隔操作者か」を示すメッセージを生成する。通知処理部１２２は、そのようなメッセージの生成及び通知のために、制御コマンドに含まれている端末ＩＤと図５の（ｅ）のデータとを参照することによって電子錠４００を開けた遠隔操作者を特定する。
【０１１０】
ステップＳ３６にて、通知処理部１２２は、図５の（ｅ）のデータを参照して状態情報が示す状態を確認する権限を有する佐藤家の各人を特定する。通知処理部１２２は、特定した各人の端末２００に対し、ステップＳ３５にて生成したメッセージを通知する（端末２００は、通知されたメッセージを表示する）。
【０１１１】
具体的には、遠隔操作者向けのメッセージを遠隔操作者の端末２００に通知し、遠隔操作者ではない人向けのメッセージを遠隔操作者以外の各人の端末２００に通知する。その結果、遠隔操作者の端末２００に表示される内容は、例えば図９の（ｄ）に示されている内容となる。ステップＳ３８の後、サーバ１００は、図１３のフローチャートの動作を終了する。
【０１１２】
以上、システムの各動作について説明した。
【０１１３】
以上の説明からわかるように、「錠前の状態を示す情報の通知により、その情報を共有すべきグループに属さない者にその情報が誤って伝わるリスク（特に、錠前の状態を示す情報をグループで共有するための操作の誤りに起因して、その情報を通知することによってその情報を共有すべきグループに属さない者にその情報が誤って伝わるリスク）」が従来よりも少ない情報通知装置を実現するという目的が達成されている。
【０１１４】
（実施形態１の付記事項１）
以上の説明から以下のことが言える。
【０１１５】
１．サーバ１００の上記動作４によって、佐藤家の各人は、自宅から遠く離れた場所から電子錠４００を制御することができる。例えば、在宅者が居ない自宅の玄関の電子錠４００が開状態になっていることに気付いた人は、遠隔から電子錠４００を閉状態にすることができる。
【０１１６】
２．サーバ１００は、グループ内でのコミュニケーションを可能にするＳＮＳを提供するサーバとして機能する装置であり、通知処理部１２２は、端末２００にインストールされている上記ＳＮＳを上記グループのメンバに利用させるためのＳＮＳアプリケーションに対して電子錠４００の状態を示すメッセージ（状態情報）を通知する。これにより、上記メンバは、上記グループ内の他のメンバとコミュニケーションをとる一方で、電子錠４００の状態を確認できる。
【０１１７】
３．通知処理部１２２は、機器３５０が生成した状態情報が示す状態に応じてメッセージの通知先となる端末２００を選択し、選択した端末に上記状態情報を通知するようになっている。例えば、上記状態がエラー状態である場合には太郎くんの両親の端末２００にメッセージを通知し、上記状態が開状態である場合には佐藤家の全員の端末２００にメッセージを通知する。これにより、太郎くんは、自身が確認すべき状態情報のみを確認できる。
【０１１８】
４．サーバ１００の上記動作１により、外出中の佐藤家の各人は、鍵５００によって玄関の電子錠４００を解錠された時に図９の（ａ）のメッセージが送信されることをわかっていれば、次のことを把握できる。即ち、外出中の佐藤家の各人は、図９の（ａ）のメッセージから、鍵５００によって電子錠４００が開状態になった事、及び、誰が帰宅したか（誰が鍵５００を用いて玄関の電子錠４００を開けたか）を把握できる。
【０１１９】
５．サーバ１００の上記動作４により、遠隔操作者以外の佐藤家の各人は、遠隔操作者ではない人向けのメッセージから、遠隔操作によって電子錠４００が開状態になった事、及び、誰が遠隔操作によって玄関の電子錠４００を開けたか、を把握できる。
【０１２０】
（実施形態１の付記事項２）
端末２００は、端末２００に対する「所定の種類のスタンプ・シール・ステッカーを掲示板に貼る操作」が行われたことをトリガとして、状態情報の送信指示をサーバ１００に送信してもよい。同様に、端末２００は、端末２００に対する「所定の種類のスタンプ・シール・ステッカーを掲示板に貼る操作」が行われたことをトリガとして、制御コマンドをサーバ１００に送信してもよい。
【０１２１】
（実施形態１の付記事項３）
通知処理部１２２は、電子錠４００の状態に何らかの変化がある度に、変化後の状態を示すメッセージを端末２００にプッシュ通知してもよい。これにより、自宅に居ない佐藤家の人は、電子錠４００の状態を確認するための操作を行う手間なく、自宅の電子錠４００の状態を確認できる。
【０１２２】
（実施形態１の付記事項４）
サーバ１００は、図５の（ｅ）のテーブルとは異なるテーブル（図５の（ｅ）のテーブルに対し、「端末ＩＤ」フィールドを「ユーザＩＤ」フィールド及び「パスワード」フィールドに置き換えて得られるテーブル）を保持していてもよい。
【０１２３】
ＳＮＳアプリケーションは、起動後に表示される画面がログイン画面であるようなアプリケーションであってもよい。
【０１２４】
この場合、電子錠４００の状態を確認すること、又は、電子錠４００を遠隔操作することを所望する端末２００のユーザは、自身の「ユーザＩＤ」及び「パスワード」をログイン画面に入力した上で、ＳＮＳアプリケーションに対して必要な操作を行うことになる。
【０１２５】
そして、電子錠制御部１２３は、受信した「状態情報の送信指示」又は制御コマンドに含まれているユーザＩＤが、どの家族に属する人のユーザＩＤであるかを確認した上で、図９の（ｃ）のフローチャートの動作、又は、図１３のフローチャートの動作を開始することになる。
【０１２６】
（実施形態１の付記事項５）
上記動作１〜動作４のうちのいずれか１つ以上の動作を行う錠前管理システムも本発明の範囲に含まれる。例えば、上記動作２及び上記動作３の各動作を行う錠前管理システムであって、鍵ID読み取り部４１０を備えておらず、シリンダ４２０を備えている錠前を、電子錠４００の代わりに含んでいる錠前管理システムも本発明の範囲に含まれる。
【０１２７】
（実施形態１の付記事項６）
上記動作１に関し、通知処理部１２２は、佐藤家に帰宅した人を示す情報を佐藤家のともだち家電（例えば、電子錠４００を利用する佐藤家の人々によって共有されているロボット掃除機、テレビ、エアコン等）に通知してもよい。このともだち家電（機器）のＣＰＵ（取得処理部、実行処理部）は、この情報をサーバ１００（情報通知装置）から受信すると、受信した情報に応じた動作を行ってもよい。例えば、太郎くんが帰宅したことを示す情報を受信したロボット掃除機、テレビ又はエアコンのＣＰＵは、「太郎くん、お帰り！」という太郎くんに対する挨拶の音声をスピーカから出力させるための処理を実行してもよい。
【０１２８】
（実施形態１の付記事項７）
上記動作２に関し、電子錠４００が発信するエラー信号としては、例えば、電子錠４００が故障したことを示すエラー信号、及び／又は、以下の全部若しくは一部のエラー信号が挙げられる。
・機器３５０のシリアル番号が電子錠４００に登録されていない旨を示すエラー信号
・鍵ID読み取り部４１０（リーダ）が正しく機能していない可能性がある旨を示すエラー信号
・電子錠４００のクラッチ機構に異常が生じた旨を示すエラー信号
・電子錠４００において施錠不良が発生した旨を示すエラー信号
・電子錠４００において解錠不良が発生した旨を示すエラー信号
機器３５０は、電子錠４００に関するエラーを検出した場合に検出したエラーの種類に応じたエラー情報を生成するようになっているが、機器３５０は、電子錠４００からエラー信号を受信することによって上記エラーを検出するのに加え、電子錠４００からのエラー信号とは無関係に上記エラーを検出できるようになっていてもよい。
【０１２９】
例えば、機器３５０は、電子錠４００と機器３５０との間の配線が正しく行われていないことを検出した場合に、電子錠４００が機器３５０との間の配線が正しく行われていない状態にある旨を示すエラー情報を生成してもよい。また、例えば、機器３５０は、施錠信号又は解錠信号を電子錠４００に送信したにも関わらず、状態通知信号を電子錠４００から受信できない場合には、電子錠４００において状態通知信号を送信する機能に異常が発生した可能性がある旨を示すエラー情報を生成してもよい。
【０１３０】
＜実施形態２＞
以下、本発明の別の一実施形態に係る電子錠管理システムについて説明する。
【０１３１】
本実施形態に係る電子錠管理システムは、電子錠４００を複数含んでいる点で実施形態１に係る電子錠管理システムと異なっている。
【０１３２】
即ち、本実施形態では、電子錠４００は、マンション内の佐藤家の住戸の玄関のドア、該マンションの共用扉、佐藤家の郵便受けの扉、マンション内の宅配ボックスの扉、及び、佐藤家の人が利用しているレンタル保管庫の扉に設置されている。
【０１３３】
また、電子錠管理システムは、アダプタ装置３００及び機器３５０の代わりに、上記複数の電子錠４００と通信可能に接続されている佐藤家用の電子錠管理機器を含んでいる。
【０１３４】
各電子錠４００は、佐藤家の人の鍵５００によって該電子錠４００が開状態になったことをトリガとして、この電子錠管理機器に、電子錠４００が開状態になったことを示す状態通知信号を送信する。
【０１３５】
この電子錠管理機器は、上記複数の電子錠４００の各々について、該電子錠４００から該状態通知信号を受信した場合に以下の処理を行う。即ち、電子錠管理機器は、受信した状態通知信号に応じた状態情報であって該電子錠４００の固有情報（例えば、電子錠ＩＤ）を含む状態情報を生成し、生成した状態情報をサーバ１００に送信する。
【０１３６】
サーバ１００がこの状態情報を受信すると、通知処理部１２２は、該電子錠４００の状態を示すメッセージとして、該電子錠４００が開状態であることを示すメッセージであって、該電子錠４００の固有情報（該電子錠４００が上記複数の電子錠４００のうちのどの電子錠であるかを示す情報）を含むメッセージを端末２００に通知する。
【０１３７】
サーバ１００の上記の構成により、佐藤家の人は、従来よりも少ないセキュリティ上のリスクのもとで複数の電子錠４００の状態を遠隔から確認することができる。
【０１３８】
（実施形態２の付記事項１）
サーバ１００は、以下のいずれかの事象をトリガとして、太郎くんが帰宅した旨及び／又は太郎くんの帰宅時刻を示す情報を端末２００に通知してもよい。
・マンション内の佐藤家の住戸の玄関の扉に設置されている電子錠４００が太郎くんの鍵５００によって開状態になったという事象
・該マンションの共用扉に設置されている電子錠４００が太郎くんの鍵５００によって開状態になったという事象
・該マンション内の宅配ボックス（又は、佐藤家の郵便受け）の扉に設置されている電子錠４００が太郎くんの鍵５００によって開状態になったという事象
（実施形態２の付記事項２）
電子錠管理機器は、宅配ボックスの制御装置とも通信可能に接続されていてもよい。
【０１３９】
宅配ボックスの電子錠４００が佐藤家の人の鍵５００によって開状態になった後に閉状態になった場合、電子錠管理機器は、上記制御装置からの、該宅配ボックス内の宅配物が取り出されたか否かを示す信号と電子錠４００からの閉状態を示す状態通知信号とに基づき、以下の処理を行ってもよい。
【０１４０】
即ち、電子錠管理機器は、状態通信信号に応じた状態情報であって、該電子錠４００の固有情報（例えば、電子錠ＩＤ）と宅配ボックス内の宅配物が取り出されたか否かを示す情報とを含む状態情報を生成し、生成した状態情報をサーバ１００に送信してもよい。
【０１４１】
サーバ１００は、この状態情報を受信した場合、宅配ボックスの電子錠４００が開けられたことを示すメッセージであって宅配ボックス内の宅配物が取り出されたか否かを示すメッセージを、佐藤家の各人の端末２００に送信してもよい。
【０１４２】
＜実施形態３＞
実施形態１では、電子錠４００の家電ＩＤに紐付けるグループ識別情報が家族ＩＤとなっていたが、本発明はそのような構成に限定されない。
【０１４３】
本実施形態では、家電ＩＤに紐付けるグループ識別情報は、家族と前述の所定の会社の社員とからなるグループを識別するグループ識別情報である。佐藤家の代表者が図６の登録画面に従って佐藤家の自宅の玄関の電子錠４００の家電ＩＤをグループ識別情報に紐付ける操作を行うと、サーバ１００は、電子錠４００の状態を示す状態情報を取得した場合に、状態情報が示す状態に応じて以下の処理を行う。
【０１４４】
即ち、サーバ１００は、電子錠４００の開状態または閉状態を示す状態情報を取得した場合には状態情報を佐藤家の各人の端末２００に送信し、電子錠４００がエラー状態にあることを示す状態情報（エラー情報）を取得した場合には、状態情報を佐藤家の各人の端末２００及び上記社員の端末に送信する。
【０１４５】
＜実施形態４＞
本発明に係る通知装置は、ＳＮＳを提供するサーバ１００に限定されない。
【０１４６】
本実施形態に係る電子錠管理システムに含まれるサーバは、サーバ１００ではなく、ＡＳＰサービスとしてグループウェアサービスを提供するサーバである。
【０１４７】
本実施形態では、会社の各グループ（部署）の部屋の入口のドアの電子錠４００について、該電子錠４００を識別する電子錠ＩＤにそのグループを識別する部署ＩＤが紐付けられる。各部署の代表者は、グループウェアの画面を通じて、電子錠ＩＤと自分の部署の部署ＩＤとを紐付けることができる。
【０１４８】
＜実施形態５＞
各実施形態のサーバ及び端末の制御ブロックは、集積回路（ＩＣチップ）等に形成された論理回路（ハードウェア）によって実現してもよいし、ＣＰＵ（Central Processing Unit）を用いてソフトウェアによって実現してもよい。
【０１４９】
後者の場合、サーバ及び端末は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５０】
（その他の付記事項）
実施形態１では、サーバ１００は、ステップＳ３５にて遠隔操作者向けのメッセージと遠隔操作者ではない人向けのメッセージとを生成するものとした。そして、サーバ１００は、ステップＳ３６にて、前者のメッセージを遠隔操作者の端末２００に通知し、後者のメッセージを遠隔操作者ではない人の端末２００にを通知するものとした。しかしながら、実施形態１に係る発明は、そのように構成されていなくてもよい。
【０１５１】
即ち、サーバ１００は、ステップＳ３５にて、制御コマンドの実行結果を示すメッセージを１つ生成し、遠隔操作者の端末２００にも遠隔操作者でない者の端末２００にも同じメッセージ（ステップＳ３５で生成したメッセージ）を通知してもよい。
【０１５２】
実施形態２〜４についても同様である。
【０１５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５４】
本発明は、電子錠を管理するためのシステムに好適に適用することができる。
【符号の説明】
【０１５５】
１００                ＳＮＳサーバ（情報通知装置）
１２０                  制御部
１２１                    取得処理部（状態情報取得処理部、コマンド取得処理部）
１２２                    通知処理部
１２３                    電子錠制御部（錠前制御部）
１２４                    登録処理部（紐付け処理部）
１３０                  記憶部（記録媒体）
２００                端末
２２０                  制御部
２２１                    電子錠制御部
２２２                    取得処理部
２２３                    表示処理部（実行処理部）
２２４                    登録処理部
２３０                  記憶部
４００                電子錠（錠前）
【図１】
0006453134.tif 000002
【図２】
0006453134.tif 000003
【図３】
0006453134.tif 000004
【図４】
0006453134.tif 000005
【図５】
0006453134.tif 000006
【図６】
0006453134.tif 000007
【図７】
0006453134.tif 000008
【図８】
0006453134.tif 000009
【図９】
0006453134.tif 000010
【図１０】
0006453134.tif 000011
【図１１】
0006453134.tif 000012
【図１２】
0006453134.tif 000013
【図１３】
0006453134.tif 000014